(57)【特許請求の範囲】
【請求項１】
長尺の記録媒体を巻取る巻取り軸において、
前記記録媒体の側面を当接させるフランジ部と、
該フランジ部と一体に形成され、前記記録媒体を巻取るための巻取り軸部と、
該巻取り軸部の外周上に設けられ、前記記録媒体を巻き取るときには前記記録媒体と当接するよう前記外周より突出した第１の位置と前記巻取り軸部に巻き取られた前記記録媒体を取り外すときには前記記録媒体の移動時の摩擦力により前記第１の位置より前記巻取り軸の軸芯側の第２の位置に移動される支持解除手段を有し、
該支持解除手段は、前記フランジ部から前記巻取り軸部先端方向へ、記録媒体の幅の１／２を越えた位置にのみ設けられていることを特徴とする巻取り軸。
【請求項２】
前記支持解除手段は、前記フランジ部から前記巻取り軸部先端方向へ、前記記録媒体の幅の２／３から１０／１１の位置にのみ設けられていることを特徴とする請求項１記載の巻取り軸。
【請求項３】
前記支持解除手段は、前記第１の位置になるようにばねにより付勢されていることを特徴とする請求項１又は２記載の巻取り軸。
【請求項４】
記録媒体に印刷を行う印刷手段と、該印刷手段によって印刷された前記記録媒体を順次その長手方向に送る紙送り手段と、請求項１乃至３のいずれか１項記載の巻取り軸と、前記紙送り手段によって送られる前記記録媒体を前記巻取り軸によって巻取るように構成された巻取り機構とを備えたことを特徴とするプリンタ。
【発明の詳細な説明】
【０００１】
【発明の属する技術分野】
本発明は、例えばジャーナル紙等の記録媒体を巻取るための巻取り軸及びこれを用いたプリンタに関する。
【０００２】
【従来の技術】
従来より、店舗等における売り上げや在庫の管理を目的として、販売価格や品名等が印字されたジャーナル紙を保存しておくことが求められており、そのための手段として、印字されたジャーナル紙を巻取り軸に巻取るように構成したプリンタが提案されている。
【０００３】
この種のプリンタとしては、従来、例えば、図２７に示すようなものが知られている。
【０００４】
図２７に示すように、このプリンタ１０１は、キャッシュレジスタ等に組み込まれるドットインパクトプリンタで、リボンカセット１０２が着脱可能なプリンタ本体１０３と、プリンタ本体１０３の上部の後部寄りの位置に回動可能に支持されるクラムシェル可動部１０４と、プリンタ本体１０３の後方に設けられる巻取り機構１０５とから構成される。
【０００５】
このプリンタにおいて、図示しない印字ヘッドによって印字されたジャーナル紙等の記録紙１０６は、紙送り手段１０７によってクラムシェル可動部１０４の上方へ送り出され、印刷修正用の書き込み台１０８の平面部１０８ａを通って巻取り機構１０５の巻取り軸１０９に巻取られるように構成されている。
【０００６】
この巻取り軸１０９はプリンタ本体１０３の後方に固定された支持板１１０に回転自在の状態で片持ち支持され、その支持板１１０側の部分に円盤状の巻取りフランジ１１１が固定されている。また、巻取り軸１０９の支持板１１０側の先端部には駆動用の歯車１１２が固定されている。そして、巻取り軸１０９は、プリンタ本体１０３内の紙送り機構に連動する巻取りベルト１１３によって回転駆動される歯車群１１４と、巻取り軸１０９に固定された歯車１１２との噛み合いによって回転駆動されるようになっている。
【０００７】
【発明が解決しようとする課題】
ところで、この種のプリンタ１０１の巻取り機構においては、記録紙１０６を巻取り軸１０９に整えて巻取ることが必要であるが、従来より、実開昭５７−１４４９４５号に見られるように巻取り軸を記録紙に対して角度を持った位置に固定する方法や実開昭５８−１２５０４７号に見られるように巻取り軸の巻取り軸部のフランジ側の径より入り口側の径を大きくする方法が採られていた。
【０００８】
しかし、実開昭５７−１４４９４５号の方法では、巻取り軸の位置の管理が難しく、また、記録紙の未使用部分と巻取り軸のフランジ部分との干渉が課題となり、巻取り機構の設計および評価など品質確立に時間がとられていた。
【０００９】
また、実開昭５８−１２５０４７号の方法では、巻取り軸の巻取り軸部のフランジ側の径より入り口側の径が大きいため、記録紙１０６を取り除く際に、巻取り軸１０９の巻取り軸部に記録紙１０６の巻き始め部分が残り、うまく取り除けず、巻取り軸１０９から記録紙１０６がせり出してしまうという問題があった。
【００１０】
本発明は、このような従来の技術の課題を解決するためになされたもので、その目的とするところは、記録紙を巻取り軸に整えて巻取り、かつ、巻取られた記録紙を簡単な操作で取り外すことが可能な巻取り軸及びこれを用いたプリンタを提供することにある。
【００１１】
【課題を解決するための手段】
かかる目的を達成するためになされた請求項１記載の発明は、記録媒体の側面を当接させるフランジ部と、フランジ部と一体に形成され、前記記録媒体を巻取るための巻取り軸部と、巻取り軸部の外周上に設けられ、前記記録媒体を巻き取るときには前記記録媒体と当接するよう前記外周より突出した第１の位置と前記巻取り軸部に巻き取られた前記記録媒体を取り外すときには前記記録媒体の移動時の摩擦力により前記第１の位置より前記巻取り軸の軸芯側の第２の位置に移動される支持解除手段を有し、該支持解除手段は、前記フランジ部から前記巻取り軸部先端方向へ、記録媒体の幅の１／２を越えた位置にのみ設けられていることを特徴とする巻取り軸である。
【００１２】
請求項１記載の発明の場合、巻取り軸部の外周より突出した支持解除手段がフランジ部から巻取り軸部先端方向へ、記録媒体の幅の１／２を越えた位置にのみ設けられている。また、記録媒体には記録媒体を巻き取るための回転力が与えられているため、支持解除部材が接しているところに張力が生じる。前述のようにその接点が記録媒体の幅の１／２を越えた位置であるため、図１１に示すように記録媒体７には紙送りローラ１１と支持解除部材２３４との間に張力Ｆが生じ、その分力ｆにより記録媒体はフランジ部方向へ定常的に寄せられる。このため、記録媒体は巻取り軸に整って巻き取られる。また、巻き取られた記録媒体を取り外す際には、巻取り軸部に巻き付けられた記録媒体を所定の方向へ移動させると、記録媒体を抜くための外力によって支持解除手段が第１の位置から第２の位置へ移動して巻取り軸部の径が見かけ上小さくなる。その結果、巻取り軸部に巻き付いた最内周の記録媒体が巻取り軸部の外周から浮いてゆるんだ状態となるため、記録媒体同士がずれることなくロール状のまま容易に記録媒体を巻取り軸から取り外すことができる。
【００１３】
また、請求項２記載の発明のように、支持解除手段をフランジ部から巻取り軸部先端方向へ、記録媒体の幅の２／３から１０／１１の位置に設けたことも効果的である。
【００１４】
請求項２記載の発明によれば、支持解除手段をフランジ部から巻取り軸部先端方向へ、記録媒体の幅の２／３から１０／１１の位置に設けることにより、より効率的に記録媒体を巻取り軸に整って巻取り、また、支持解除手段よりフランジ側の巻き始めの記録媒体が支持解除手段のある部分の記録媒体の周長より短くなっているため、支持解除手段がない記録媒体の外周部を持って、巻き付けられた記録媒体を取り外す際にも、きわめて容易に記録媒体を巻取り軸から取り外すことができる。
【００１５】
請求項３記載の発明は、前記支持解除手段は、前記第１の位置になるようにばねにより付勢されていることを特徴とする。
請求項４記載の発明は、記録媒体に印刷を行う印刷手段と、この印刷手段によって印刷された記録媒体を順次その長手方向に送る紙送り手段と、請求項１乃至３のいずれか１項記載の巻取り軸と、紙送り手段によって送られる記録媒体を前記巻取り軸によって巻取るように構成された巻取り機構とを備えたことを特徴とするプリンタである。
【００１６】
請求項４記載の発明によれば、印刷済の記録媒体を巻取り軸に整えて巻取り、かつ巻取り軸に巻取られた記録媒体をきわめて簡単な操作で取り外すことができ、これにより記録媒体の巻取り品質の高い、記録媒体を交換する際の操作性の良いプリンタを得ることができる。
【００１７】
【発明の実施の形態】
以下、本発明に係る巻取り機構及びこれを用いたプリンタの実施の形態を図面を参照して詳細に説明する。
【００１８】
図１は、本発明に係るプリンタの一実施の形態の全体構成を示す斜視図、図２は、図１のプリンタの平面図、図３は、図２のＢ方向矢視図（側面図）、図４は、図２のＣ−Ｃ線断面図、図５は、図１のプリンタの後部斜視図である。
【００１９】
図１に示すように、本実施の形態のプリンタ１は、キャッシュレジスタ等に組み込まれるドットインパクトプリンタで、リボンカセット２が着脱可能なプリンタ本体３と、プリンタ本体３の上部の後部寄りの位置に回動可能に支持されるクラムシェル可動部４と、プリンタ本体３の後方に設けられる巻取り機構５とから構成される。
【００２０】
プリンタ本体３には、印字ヘッド６を搭載する図示しないキャリッジを記録紙７、８の幅方向に往復移動させる図示しない印字機構と、印字ヘッド６による印字位置に記録紙７、８を送るための図示しない紙送り機構と、これらの印字機構や紙送り機構に共通の駆動源である駆動モータ９とが装備されている。
【００２１】
一方、クラムシェル可動部４は、プラテン１０と、紙送りローラ１１及びこれに記録紙を圧接する紙押えローラ１２からなる紙送り手段１３と、紙送り手段１３の上部に配設されレシート紙８を切断するためのオートカッタ機構１４（図２参照）、樹脂で形成された上側紙ガイド１５から構成され、この上側紙ガイド１５をベースに他の構成要素が取り付けられている。
【００２２】
ここで、上側紙ガイド１５にはプリンタ本体３のフレーム３Ａに配置された孔３ａと係合する突起部（図示しない）が形成されており、この突起部を孔に係合させてクラムシェル可動部の回動中心軸１６を構成する。
【００２３】
また、上側紙ガイド１５には、プリンタ本体３に回動可能に装備された爪部（図示しない）と係合する係止部（図示しない）も形成されている。上記構成により、上側紙ガイド１５は通常は爪部によって定位置に固定されており、上記爪部と係止部との係合を解除することによってプリンタ本体３による支持部である回動中心軸１６を中心として回動される。
【００２４】
図４及び図５に示すように、クラムシェル可動部４は、プリンタ本体３後部の給紙口１７、１８から印字位置に至る上側紙ガイド１５と下側紙ガイド１９で形成される紙経路２０を露呈させるべくプリンタ本体３の後方上部の位置に回動可能に装備されたものである。図４において、実線はクラムシェル可動部４の閉じた状態を示し、仮想線（二点鎖線）はクラムシェル可動部４の開放状態を示している。
【００２５】
図２に示すように、給紙口１７、１８は、クラムシェル可動部４の後部に左右に並んで配置される。
【００２６】
給紙口１７には、売上や在庫を管理するために店舗側に保存されるジャーナル紙等の記録紙７が供給される。図４に示すように、記録紙７は、プリンタ本体３の後方下部に配置され、その先端部が給紙口１７から紙経路２０を通って印字位置に到達するようになっている。そして、印字された記録紙７は、順次、排出口２１からクラムシェル可動部４の上方に設けられた書き込み台２２を通って、プリンタ本体３の後部に取り付けられている巻取り機構５の巻取り軸２３に巻取られる。
【００２７】
この巻取り軸２３は、プリンタ本体３の後方に固定された支持板２４に回転自在の状態で片持ち支持され、その支持板２４側の部分に円盤状の巻取りフランジ２５が一体的に形成されている。また、巻取り軸２３の支持板２４側の先端部には駆動用の歯車２６が一体的に形成されている。そして、巻取り軸２３は、プリンタ本体３内の紙送り手段１３に連動する巻取りベルト２７によって回転駆動される歯車群２８と、巻取り軸２３の先端部に形成された歯車２６との噛み合いによって回転駆動されるようになっている。
【００２８】
また、巻取り軸２３は、その巻取りフランジ２５が設けられていない側の端部の紙送り経路長が、巻取りフランジ２５が設けられた側の端部の紙送り経路長より長くなるように傾斜されている。この場合、後述するように、本発明により記録紙の蛇行を防止する対策を採っているため、巻取り軸２３の傾斜角は、図２７に示す従来例の場合より小さい角度で十分である。
【００２９】
一方、給紙口１８には、顧客に渡すためのレシート紙等の記録紙８が供給される。この記録紙８は、記録紙７と同様の紙経路２０を通って印字位置に到達し、印字された後は、クラムシェル可動部４の上面に設けたレシート排出口２９から上方へ送り出される。
【００３０】
なお、図４に示すように、記録紙８が給紙される給紙口１８の下方には、店舗名等を押印するためのスタンプセット３０が着脱可能に装着される。
【００３１】
また、給紙口１７、１８には、記録紙７および記録紙８を繰り出すための繰り出しローラ３１が装備されている。この繰り出しローラ３１は、図４に示すように、クラムシェル可動部４の回動中心軸１６よりも所定量だけ上昇した位置、すなわち、クラムシェル可動部４の後部の上端寄りの位置に配備されている。
【００３２】
この繰り出しローラ３１は、プリンタの作動中には常時回転しており、記録紙７および記録紙８の紙送りの際に、紙送りローラ１１が発生する駆動力によって紙が緊張すると、繰り出しローラ３１と紙との間に摩擦力が発生して、紙を搬送方向へ繰り出す。これにより、ロ−ル紙の慣性質量等に起因する紙送りの負荷を軽減することができるようになっている。
【００３３】
また、繰り出しローラ３１は、クラムシェル可動部４側にローラ軸駆動歯車３２が配置されており、給紙口１７、１８を形成する上側紙ガイド１５の一部１５ａに回転可能に取り付けられている。そして、ローラ軸駆動歯車３２と噛合して繰り出しローラ３１を回転させるための伝達歯車３３が、プリンタ本体３側に、クラムシェル可動部４の回動中心軸１６と同軸に支持されている。この構成により、クラムシェル可動部４側のローラ軸駆動歯車３２とプリンタ本体３側の伝達歯車３３とは、クラムシェル可動部４が開いたときでも、その噛み合い状態が外れることがない。
【００３４】
一方、図２又は図５に示すように、クラムシェル可動部４内には、連続した記録紙８を切断するオートカッタ機構１４と、オートカッタ機構１４を駆動するカッタ駆動源３４とが装備されている。オートカッタ機構１４を駆動するカッタ駆動源３４は、高トルク型のモータで、クラムシェル可動部４のカッターフレーム３５に設けられるジャーナル印字修正用の書き込み台２２の下に配置され、操作安全性を考慮してモータカバー３６で覆われている。
【００３５】
プリンタを水平に配置した場合に店員等のオペレータがレシート等の印字結果を容易に視認するためには、視線と直交するように記録紙７７を搬送することが好ましいので、本実施の形態においては、金属板をプレス加工することによって書き込み台２２の平面部２２ａが手前側に傾斜するように形成されており、その下側には空間が形成されている。本実施の形態の場合はカッタ駆動源３４であるＤＣモータをその下側の空間を利用して配置したものである。また、書き込み台２２はカッターフレーム３５の一部を斜め加工して形成してもよい。
【００３６】
一方、本実施の形態においては、書き込み台２２の平面部２２ａの紙幅方向中央部に、記録紙７の蛇行を防止するための突起部２２０が設けられている。本実施の形態の場合は、書き込み台２２の平面部２２ａの紙送り方向両端部に、例えば板金加工により突起部２２０ａ、２２０ｂがそれぞれ一体的に形成される。
【００３７】
図６は、本発明に係る巻取り軸の第１の実施の形態の外観を示す平面図、図７は、同実施の形態の詳細平面図、図８は、同実施の形態の内部構成を示す概略図、図９（ａ）は、同実施の形態の動作の原理を示す説明図で、支持解除部材が第１の位置に位置し、記録紙が巻取り軸に巻取られた状態を示すもの、図９（ｂ）は、同実施の形態の動作の原理を示す説明図で、支持解除部材が第２の位置に位置する倒れた状態を示すもの、図１０は、同実施の形態の押え部材の近傍を示す構成図である。図１１は、同実施の形態の正面断面図である。
【００３８】
図６、図７に示すように、本実施の形態の巻取り軸は、例えば樹脂材料からなるもので、その回転中心を含むように構成される軸本体２３１と、この軸本体２３１を挟むように形成された一対の巻取り部２３２、２３３を有し、これら軸本体２３１と巻取り部２３２、２３３によって巻取り軸部２３０が構成されている。ここで、巻取り部２３２、２３３は、軸本体２３１を取り囲むように配置され、それぞれの表面が円弧面状（但し、円弧面状に特定する必要はない）に形成されている。
【００３９】
一方、軸本体２３１は、一対の対向する四角形状の板状部材２３１ａ、２３１ｂがリブによって補強された構造を有しており、記録紙の側面を当接させるフランジ２５から記録紙の幅の１／２を越えた位置、特に２／３から１０／１１の位置に一対の支持解除部材２３４、２３５が設けられ、リブ２３１ｃによって支持されている。ここで、各支持解除部材２３４、２３５は、それぞれ軸本体２３１の両側部に支軸２３４ａ、２３５ａを中心として回動自在に支持される。そして、図８に示すように、支持解除部材２３４、２３５間には引張コイルばね２３６が掛け渡され、矢印Ｒ方向（図９）と逆方向に回転し、係止突起２３４ｃ、２３５ｃが巻取り軸２３１内面と当接することで、外力を加えない状態において各支持解除部材２３４、２３５が起立して各支持部２３４ｂ、２３５ｂが軸本体２３１の側部から突出するように構成される。また、これにより各支持解除部材２３４、２３５は、図９（ｂ）に示すように起立した状態から記録紙７の巻き付き方向と逆方向にのみ倒れるようになっている。
【００４０】
表１に支持解除部材２３４、２３５のフランジ２５からの位置と巻き取られた記録紙の整い方を記録紙の巻径と巻き取られた幅を蛇行（記録紙幅に対する割合（％））で表す。表１から、フランジ２５から記録紙の幅の１／２以下では、巻径および蛇行共に大きな数値を示しているが、１／２を越えると小さくなる。特に２／３〜１０／１１の範囲では、安定して小さくなる。１０／１１を越えると、記録紙端に近づくため、湿度が高い状態では薄い記録紙であれは記録紙端が伸びてしまい効果が薄れる。
【００４１】
【表１】
0003637748.tif 000002
【００４２】
なお、図６、図７、図８及び図１０に示すように、各支持解除部材２３４、２３５は、軸本体２３１から外れてしまわないように、一対の断面略コ字状の押え部材２３７、２３８によって押さえられている。
【００４３】
このような構成を有する本実施の形態において記録紙７を巻取ると、図９（ａ）に示すように、支持解除部材２３４、２３５が起立した状態、すなわち、支持解除部材２３４、２３５の支持部２３４ｂ、２３５ｂが軸本体２３１から突出した状態で記録紙７が巻取られる。このとき、支持解除部材２３４、２３５が記録紙の側面を当接させるフランジ２５から記録紙の幅の１／２を越えた位置、特に１／２付近では張力Ｆ（図１１）が安定しないため、２／３から１０／１１の位置とすれば、記録紙７には紙送りローラ１１と支持解除部材２３４との間に張力Ｆが安定して生じ、その分力ｆにより記録媒体はフランジ部方向へ定常的に寄せられ、端面がきれいに整えられた状態で巻き取られる。
【００４４】
この状態において、図９（ｂ）に示すように、記録紙７を手でつかんで巻き付き方向と逆方向（矢印Ｒ方向）へ軽く回転させると、最内周の記録紙７ａからの外力（摩擦力）によって各支持解除部材２３４、２３５が同方向へ倒れる。その結果、巻取り軸部２３０に巻き付いた最内周の記録紙７ａが軸本体２３１の外周面２３１ｄから浮いてゆるんだ状態となるため、巻取られた記録紙７を容易に巻取り軸２３から抜き取ることができる。
【００４５】
図１２〜図１４は、本発明に係る巻取り軸の第２の実施の形態を示すもので、図１２は、同実施の形態の詳細平面図、図１３は、内部構成を示す概略図、図１４は、同実施の形態の動作の原理を示す説明図である。以下、上述の実施の形態と対応する部分については同一の符号を付し、重複する説明を省略する。
【００４６】
図１２〜図１４に示すように、本実施の形態の巻取り軸２３Ａは、上述の実施の形態と同様の構成の支持解除部材２３４が一つ設けられたものである。
【００４７】
本実施の形態においては、軸本体２３１の一方の側部に支持解除部材２３４が支軸２３４ａを中心として回動自在に支持される。そして、この支持解除部材２３４の爪部２３４ｅと、軸本体２３１の他方の側部に設けられた爪部２３１ｄとの間には引張コイルばね２３６が掛け渡されている。
【００４８】
このような構成を有する本実施の形態においても、図１２〜図１４に示すように、記録紙はフランジ２５へ寄せられて端面が整えられて巻き取られ、巻取られた記録紙７を手でつかんで巻き付き方向と逆方向（矢印Ｒ方向）へ軽く回転させると、最内周の記録紙７ａからの外力によって支持解除部材２３４が同方向へ倒れ、巻取り軸部２３０に巻き付いた最内周の記録紙７ａが軸本体２３１の外周面２３１ｄから浮いてゆるんだ状態となるため、容易に記録紙７を巻取り軸２３から抜き取ることができる。
【００４９】
本実施の形態の場合は、第１の実施の形態よりも巻取り軸の構成が簡素になるというメリットがある。その他の構成及び作用効果については上記実施の形態と同一であるのでその詳細な説明を省略する。
【００５０】
図１５〜図２０は、本発明に係る巻取り軸の第３の実施の形態を示すもので、図１５は、本実施の形態の平面図、図１６は、同実施の形態の正面断面図、図１７は、同実施の形態の要部を示す正面構成図、図１８は、同実施の形態の要部成を示す詳細平面図、図１９（ａ）は、同実施の形態の動作の原理を示す説明図で、記録紙が巻取り軸に巻取られた状態を示すもの、図１９（ｂ）及び図２０は、同実施の形態の動作の原理を示す説明図で、支持解除部材が倒れた状態を示すものである。以下、上述の実施の形態と対応する部分については同一の符号を付し、重複する説明を省略する。
【００５１】
本実施の形態においては、巻取り軸２３Ｂの軸芯Ｎの方向に倒れる支持解除部材２３９、２４０が設けられている。この場合、図１７に示すように、軸本体２３１の上部及び下部に一対の支持解除部材２３９、２４０が支軸２３９ａ、２４０ａを中心として回動自在に支持されている。これらの支持解除部材２３９、２４０間には引張コイルばね２３６が掛け渡され、これにより外力を加えない状態において各支持解除部材２３９、２４０が起立して各支持部２３９ｄ、２４０ｄが軸本体２３１の側部から突出するように構成される。
【００５２】
図１８に示すように、各支持解除部材２３９、２４０の側部を係止するために、巻取り軸２３Ｂに２３０Ｃが設けられ、これにより各支持解除部材２３９、２４０は、図１９（ａ）に示す起立した状態から図２０に示す記録紙７の抜き取り方向（矢印Ｂ、Ｃ方向）にのみ倒れるようになっている。
【００５３】
このような構成を有する本実施の形態において記録紙７を巻取ると、図１９（ａ）に示すように、支持解除部材２３９、２４０が起立した状態、すなわち、支持解除部材２３９、２４０の支持部２３９ｄ、２４０ｄが軸本体２３１から突出した状態で記録紙７が巻取られる。
【００５４】
この状態において、記録紙７を手でつかんで軸本体２３１の先端方向（矢印Ａ方向）へ引っ張ると、図１９（ｂ）及び図２０に示すように、最内周の記録紙７ａからの外力によって各支持解除部材２３９、２４０が矢印Ｂ、Ｃ方向へ倒れる。
【００５５】
その結果、巻取り軸部２３０に巻き付いた最内周の記録紙７ａが軸本体２３１の外周面２３１ｄから浮いてゆるんだ状態となるため、上記実施の形態の場合と同様に、容易に記録紙７を巻取り軸２３から抜き取ることができる。フランジ２５から記録紙７の幅の１／２以下の位置に支持解除部材２３９，２４０があった場合、巻き取られた記録紙７の支持解除部材２３９，２４０間を結ぶ線と直交する記録紙７の外周を挟持して巻取り軸部２３０から抜き取る際に支持解除部材２３９，２４０が倒れないことがある。しかし、本発明によれば、支持解除部材２３９，２４０が、記録紙７の側面を当接させるフランジ２５から記録紙７の幅の１／２を越えた位置、特に２／３から１０／１１の位置にあるため、図２０に示すようにフランジ２５付近が狭まった状態で記録紙７は巻き取られるため、巻き取られた記録紙７のどこを持たれても、記録紙７を矢印Ａ方向に引っ張ると、より効率的に支持解除部材を変位する事が出来る。
【００５６】
その他の構成及び作用効果については上記実施の形態と同一であるのでその詳細な説明を省略する。
【００５７】
図２１は、本発明に係る巻取り軸の第４の実施の形態の平面図、図２２は、同発明に係る巻取り軸の第４の実施の形態の要部を示す平面構成図であり、以下、上述の実施の形態と対応する部分について同一の符号を付し、重複する説明を省略する。
【００５８】
図２２に示すように、本実施の形態の巻取り軸２３Ｃにおいては、上記第３の実施の形態において、支持解除部材２３９を軸芯Ｎの方向に対して所定の角度だけ傾斜させるように構成したものである。ここで、各支持解除部材２３９、２４０は、上記第３の実施の形態と同様に、軸本体２３１の上部及び下部に支軸２３９ａ、２４０ａを中心として回動自在に支持されている。
【００５９】
本実施の形態の場合、支持解除部材２３９、２４０を傾斜させる角度については、図２２に示すように、軸芯Ｎと支軸２３９ａ、２４０ａの回転軸Ｍとのなす角度θが４５度程度となるように設定することが好ましい。
【００６０】
このような構成を有する本実施の形態において、巻取られた記録紙７を抜き取る場合には、記録紙７を手でつかんで巻き付き方向と逆方向へ軽く回転させるか、または、軸本体２３１の先端方向（矢印Ａ方向）へ引っ張るようにする。その結果、最内周の記録紙７ａからの外力によって各支持解除部材２３９、２４０が倒れ、巻取り軸部２３１に巻き付いた最内周の記録紙７ａが軸本体２３１の外周面２３１ｄから浮いてゆるんだ状態となるため（図１９（ｂ）参照）、上記実施の形態の場合と同様に、容易に記録紙７を巻取り軸２３から抜き取ることができる。その他の構成及び作用効果については上記実施の形態と同一であるのでその詳細な説明を省略する。
【００６１】
図２３〜図２６は、本発明に係る巻取り軸の第５の実施の形態を示すもので、図２３は、本実施の形態の要部を正面方向から見た部分断面図、図２４は、同実施の形態の要部を平面方向から見た部分断面図、図２５は、同実施の形態の動作の原理を示す説明図で、記録紙が巻取り軸に巻取られた状態を示すもの、図２６は、同実施の形態の動作の原理を示す説明図で、支持解除部材が倒れた状態を示すものである。以下、上述の実施の形態と対応する部分については同一の符号を付し、重複する説明を省略する。
【００６２】
図２３に示すように、本実施の形態の巻取り軸２３Ｄにおいては、軸本体２３１の上部及び下部に、上記第３の実施の形態と同様の、記録紙７の抜き取り方向に倒れる支持解除部材２３９、２４０が設けられる。そして、この軸本体２３１と一対の巻取り部２３２、２３３からなる巻取り軸部２３０の周囲にスリーブ状の作動部材２４１が嵌合し、さらに各支持解除部材２３９、２４０と対応する位置に設けられた孔部２４１ａから各支持解除部材２３９、２４０の支持部２３９ｄ、２４０ｄが突出するようになっている。
【００６３】
図２３及び図２５に示すように、この作動部材２４１は、その先端部が、フランジ２５の基部２５ａに形成した溝部２５ｂと嵌合するとともに、巻取り部２３２、２３３に設けたガイド部２３２ａ、２３３ａに沿って軸芯Ｎ方向に摺動可能に構成されている。また、作動部材２４１の内周面には係止突起２４１ｂが形成され、図２６に示すように、この係止突起２４１ｂと軸本体２３１に形成された係止溝２３１ｅの壁部２３１ｆとの係合によって、作動部材２４１は軸本体２３１から外れないようになっている。
【００６４】
このような構成を有する本実施の形態において記録紙７の巻取りを行うと、図２５に示すように、支持解除部材２３９、２４０の支持部２３９ｄ、２４０ｄが作動部材２４１から突出した状態で記録紙７が巻かれ、これにより記録紙７は支持解除部材２３９、２４０の支持部２３９ｄ、２４０ｄに支持された状態で作動部材２４１に巻き付けられる。
【００６５】
この状態において、図２６に示すように、記録紙７を手でつかんで軸本体２３１の先端方向（矢印Ａ方向）へ引っ張ると、最内周の記録紙７ａからの外力によって作動部材２４１が移動する。各支持解除部材２３９、２４０は、記録紙７ａと作動部材２４１の動きにより同方向へ倒る。さらに、作動部材２４１の孔部２４１ａの開口端部に押し付けられることによって支持解除部材２３９、２４０が作動部材２４１の内側に入り込む。その結果、作動部材２４１の外周に巻き付いた最内周の記録紙７ａが作動部材２４１の外周から浮いてゆるんだ状態となるため、上述の実施の形態の場合と同様に、容易に記録紙７を巻取り軸２３Ｄから抜き取ることができる。
【００６６】
本実施の形態の場合は、記録紙７を抜き取る際、記録紙７とともに作動部材２４１も移動するため、記録紙７のみならず作動部材２４１からも支持解除部材２３９、２４０に対して外力が作用する。このため、より円滑に支持解除部材２３９、２４０を移動させて記録紙７をゆるんだ状態にすることができ、一層操作性が向上する。その他の構成及び作用効果については上記実施の形態と同一であるのでその詳細な説明を省略する。
【００６７】
以上述べたように上記実施の形態によれば、巻取り軸２３に巻き付けられた記録紙７に対し、円周方向に回転させ又は軸芯Ｎの方向へ引っ張るという単純な操作を行うだけで記録紙７を容易に巻取り軸２３から抜き取ることができるものである。
【００６８】
なお、本発明は上述の実施の形態に限られることなく、種々の変更を行うことができる。
例えば、上述したスリーブ状の作動部材は、第５の実施の形態のように支持解除部材が軸芯方向に倒れる場合だけではなく、支持解除部材が巻取り軸の円周方向又は軸芯に対して傾斜した方向へ倒れる場合にも用いることができる。
【００６９】
また、上述の実施の形態においては、支持解除部材を回転させて倒すことにより記録紙の巻取り径を小さくするようにしたが、本発明はこれに限られず、例えば記録紙を抜くための外力によって支持解除部材をスライドさせるように構成することも可能である。
【００７０】
さらに、上述の実施の形態においては、巻取り軸が片持ち支持されるタイプのものを例にとって説明したが、本発明はこれに限られず、巻取り軸が両端支持されるもの、および、両側にフランジが付いた場合についても適用することができる。ただし、本発明は上述の実施の形態のように巻取り軸が片持ち支持される場合に最も効果を奏するものである。
【００７１】
さらにまた、ばねをコイルばねを用いて説明したが、板ばねであっても構わないものである。
【００７２】
さらにまた、本発明はドットインパクトプリンタのみならず、例えば、サーマルプリンタ、インクジェットプリンタ等の種々のプリンタに適用しうるものである。
【００７３】
【発明の効果】
以上述べたように本発明によれば、記録媒体の側面を当接させるフランジ部と、前記記録媒体の側面を当接させるフランジ部と、該フランジ部と一体に形成され、前記記録媒体を巻取るための巻取り軸部と、該巻取り軸部の外周上に設けられ、前記記録媒体を巻き取るときには前記記録媒体と当接するよう前記外周より突出した第１の位置と前記巻取り軸部に巻き取られた前記記録媒体を取り外すときには前記記録媒体の移動時の摩擦力により前記第１の位置より前記巻取り軸の軸芯側の第２の位置に移動される支持解除手段を有し、該支持解除手段は、前記フランジ部から前記巻取り軸部先端方向へ、記録媒体の幅の１／２を越えた位置にのみ設けられているので、記録媒体に生じる張力のため、記録媒体は巻取り軸のフランジ部方向に定常的に寄せられ、フランジ部に整えて巻取とられる。かつ、巻取り軸部に巻き付けられた記録媒体を所定の方向へ単に移動させると、記録媒体を抜くための外力によって支持解除手段が第１の位置から第２の位置へ移動して巻取り軸部の径が見かけ上小さくなる。その結果、取り外される記録媒体の進行側の巻取り軸部に巻き付いた最内周の記録媒体が巻取り軸部の外周から浮いてゆるんだ状態となるため、記録媒体同士がずれることなくロール状のまま容易に記録媒体を巻取り軸から取り外すことができ、記録紙をきわめて簡単な操作で取り外すことができる。
【００７４】
請求項２にするとより、上記効果が達成することができる。
【００７５】
したがって、本発明の請求項４記載によれば、記録紙を巻取り軸に整えて巻取り、かつ、巻取り軸に巻取られた印刷済の記録紙を簡単な操作で取り外すことができ、これにより記録紙を交換する際の操作性の高いプリンタを提供することができる。
【図面の簡単な説明】
【図１】本発明に係るプリンタの一実施の形態の全体構成を示す斜視図である。
【図２】図１のプリンタの平面図である。
【図３】図２のＢ方向矢視図（側面図）である。
【図４】図２のＣ−Ｃ線断面図である。
【図５】図１のプリンタの後部斜視図である。
【図６】本発明に係る巻取り軸の第１の実施の形態の外観を示す平面図である。
【図７】同実施の形態の詳細平面図である。
【図８】同実施の形態の内部構成を示す概略図である。
【図９】（ａ）：同実施の形態の動作の原理を示す説明図で、記録紙が巻取り軸に巻取られた状態を示すものである。
（ｂ）：同実施の形態の動作の原理を示す説明図で、支持解除部材が倒れた状態を示すものである。
【図１０】同実施の形態の押え部材の近傍を示す構成図である。
【図１１】同実施の形態の正面断面図である。
【図１２】本発明に係る巻取り軸の第２の実施の形態の外観を示す詳細平面図である。
【図１３】同実施の形態の内部構成を示す概略図である。
【図１４】同実施の形態の動作の原理を示す説明図である。
【図１５】本発明に係る巻取り軸の第３の実施の形態の外観を示す平面図である。
【図１６】同実施の形態の正面断面図である。
【図１７】同実施の形態の要部を示す正面構成図である。
【図１８】同実施の形態の要部構成を示す詳細平面図である。
【図１９】（ａ）：同実施の形態の動作の原理を示す説明図で、記録紙が巻取り軸に巻取られた状態を示すものである。
（ｂ）：同実施の形態の動作の原理を示す説明図で、支持解除部材が倒れた状態を示すものである。
【図２０】同実施の形態の動作の原理を示す説明図で、支持解除部材が倒れた状態を示すものである。
【図２１】本発明に係る巻取り軸の第４の実施の形態の平面図。
【図２２】同実施の形態の要部を示す平面構成図である。
【図２３】本発明に係る巻取り軸の第５の実施の形態の要部を正面方向から見た部分断面図である。
【図２４】同実施の形態の要部を平面方向から見た部分断面図である。
【図２５】同実施の形態の動作の原理を示す説明図で、記録紙が巻取り軸に巻取られた状態を示すものである。
【図２６】同実施の形態の動作の原理を示す説明図で、支持解除部材が倒れた状態を示すものである。
【図２７】従来のプリンタの一実施の形態の全体構成を示す斜視図である。
【符号の説明】
１      プリンタ
３      プリンタ本体
５      巻取り機構
６      印字ヘッド
７、８  記録紙
１０      プラテン
１１      紙送りローラ
１２      紙押えローラ
１３      紙送り手段
２３      巻取り軸
２５      巻取りフランジ
２３０    巻取り軸部
２３１    軸本体
２３２、２３３  巻取り部
２３４、２３５  支持解除部材
２３６    引張コイルばね
Ｎ        軸芯
【図１】
0003637748.tif 000003
【図２】
0003637748.tif 000004
【図３】
0003637748.tif 000005
【図４】
0003637748.tif 000006
【図５】
0003637748.tif 000007
【図６】
0003637748.tif 000008
【図７】
0003637748.tif 000009
【図８】
0003637748.tif 000010
【図９】
0003637748.tif 000011
【図１０】
0003637748.tif 000012
【図１１】
0003637748.tif 000013
【図１２】
0003637748.tif 000014
【図１３】
0003637748.tif 000015
【図１４】
0003637748.tif 000016
【図１５】
0003637748.tif 000017
【図１６】
0003637748.tif 000018
【図１７】
0003637748.tif 000019
【図１８】
0003637748.tif 000020
【図１９】
0003637748.tif 000021
【図２０】
0003637748.tif 000022
【図２１】
0003637748.tif 000023
【図２２】
0003637748.tif 000024
【図２３】
0003637748.tif 000025
【図２４】
0003637748.tif 000026
【図２５】
0003637748.tif 000027
【図２６】
0003637748.tif 000028
【図２７】
0003637748.tif 000029